(57)【要約】【課題】本考案は、必要とする収納空間が少なく、かつ操作しやすい角度調節装置を有する液晶ディスプレイの支持シャーシー構造を提供する。【解決手段】本考案は、液晶ディスプレイの支持シャーシー構造で、支持シャーシーの底部には係止具、スプリングと軸ボトルを含む角度調節装置が設けられている。係止具の末端の加圧部を押すとスプリングによって、係止具先端の鉤部が支柱アームと連動するチャックの溝から離れる。このため、支柱アームに固定されているディスプレイパネルは水平状態又は垂直状態などの特定な傾斜角度に固定することができる。加圧部の圧力を解除すると、スプリングの回復張力によって、係止具先端の鉤部は、再びディスプレイパネルと連動されたチャックのもう一つの溝に嵌める。【選択図】図３
0003097544.tif 000002
【実用新案登録請求の範囲】
【請求項１】
上部はディスプレイパネルに取り付けられ、下部はロック装置によってシャーシーに回転可能に連結する支柱アームを有する液晶ディスプレイの支持シャーシー構造において、
前記ロック装置がチャックを有し、前記支柱アームの揺れ動きとともに一定の範囲内で回ることと、前記シャーシーの底部に角度調節装置が設置されており、該角度調節装置によって前記チャックの回転動作をコントロールすることとを特徴とする液晶ディスプレイの支持シャーシー構造。
【請求項２】
前記チャックには、少なくとも二つの溝を設け、前記角度調整装置は、係止具とスプリングと軸ボルトからなり、該係止具の先端には前記溝のいずれかにはめられる鉤部を有することを特徴とする請求項１記載の液晶ディスプレイの支持シャーシー構造。
【請求項３】
前記シャーシーの中央部に開口を設け、該開口の両側からそれぞれ上向きのピボット・ブラケットが突出し、各ピボット・ブラケットがピボット穿孔を有し、前記支柱アームの下部にペアのロック孔を設け、且つ前記支柱アームが支持シャーシーと連接するとき、該ロック孔とピボット穿孔との位置が一致し、前記ロック装置によって連接することを特徴とする請求項１記載の液晶ディスプレイの支持シャーシー構造。
【請求項４】
前記チャックは、中央に通孔を有し、前記ロック装置により、前記支柱アームと前記ピボット・ブラケットとの間で固定され、且つ前記支柱アームが揺れ動くのと同時に前記チャックが一定の範囲内で連動するようになることを特徴とする請求項３記載の液晶ディスプレイの支持シャーシー構造。
【考案の詳細な説明】
【０００１】
【考案の属する技術分野】
本考案は、支柱アームとシャーシーの連結部分に角度調節装置を備えることによって、ディスプレイパネルを垂直に立たせ、または、シャーシーをディスプレイパネルの裏に収納できる機能をもつ液晶ディスプレイの支持シャーシー構造に関するものである。
【０００２】
【従来の技術】
現在、市販されているディスプレイは、主にディスプレイパネルと、コンセントや関連配線の回路などを含んでいる台座とから形成されている。通常、使用時におけるディスプレイパネルの安定性のため、一般的に台座のほとんどは大きく、かさ張り重いものである。
【０００３】
上記のようなディスプレイは、運送と包装に大変な不便をもたらした。例えば、運送中はディスプレイをぶつけやすく、台座が壊れてしまう。また、包装では、それ自身のかさのため、大きな箱で収納しなければならなく、使用者、販売者にかかわらず、大変な困難を感じる。
【０００４】
【考案が解決しようとする問題】
本考案の目的は、簡単な構造と操作によって、支持シャーシーをディスプレイパネルの裏に収納することができ、また、使うスペースを小さくすることができる支持シャーシー構造を提供することである。
【０００５】
【課題を解決するための手段】
上記の目的を達成するための具体的手段として本考案は、上部はディスプレイパネルに取り付けられ、下部はロック装置によってシャーシーに回転可能に連結する支柱アームを有する液晶ディスプレイの支持シャーシー構造において、ロック装置がチャックを有し、支柱アームの揺れ動きとともに一定の範囲内で回ることと、シャーシーの底部に角度調節装置が設置されており、角度調節装置によってチャックの回転動作をコントロールすることとを特徴とすることを要旨とし、チャックには、少なくとも二つの溝を設け、角度調整装置は、係止具とスプリングと軸ボルトからなり、係止具の先端には溝のいずれかにはめられる鉤部を有すること、シャーシーの中央部に開口を設け、開口の両側からそれぞれ上向きのピボット・ブラケットが突出し、各ピボット・ブラケットがピボット穿孔を有し、支柱アームの下部にペアのロック孔を設け、且つ支柱アームが支持シャーシーと連接するとき、ロック孔とピボット穿孔との位置が一致し、ロック装置によって連接すること、チャックは、中央に通孔を有し、ロック装置により、支柱アームとピボット・ブラケットとの間で固定され、且つ支柱アームが揺れ動くのと同時にチャックが一定の範囲内で連動するようになること、を付加的要件とする液晶ディスプレイの支持シャーシー構造を提供する。
【０００６】
本考案は、シャーシーの底部に係止具とスプリングと軸ボトルを含む角度調節装置が設けられ、係止具の末端の加圧部を押すとスプリングが収縮し、これによって、係止具の先端の鉤部は支柱アームと連動しているチャックの溝から離れる。ディスプレイパネル角度を決めた後、加圧部の圧力を解除すると、スプリングの回復張力によって、係止具の先端の鉤は、連動されたチャックのもう一つの溝に再びはめ込まれる。このため、支柱アームに固定されているディスプレイパネルは水平状態又は垂直状態などの特定な傾斜角度に固定することができる。
【０００７】
【考案の実施の形態】
本考案の更に一歩進んだ理解のために、下記に比較的良い実施例をあげ、図面を参照して、本考案の構成内容及びその達成した効果を詳しく説明する。
【０００８】
図１、図２に示すように、本考案は液晶ディスプレイの支持シャーシー構造に関するものである。支持シャーシー１は、主にディスプレイパネル２を支え、傾斜角度の調節機能を提供する。また、支持シャーシー１は、前半分がＶ形であるカバー１１に覆われ、これにより内部の部品や構造が隠され、外観上、全体的に心地よさを与えるように設計されている。
【０００９】
図３に示すように、カバー１１に覆われた支持シャーシー１は、シャーシー１２、支柱アーム１３、ロック装置１４、角度調節装置１５を含んでいる。その内、シャーシー１２は、カバー１１に覆われており、カバー１１に固定しやすいように、その大きさはカバー１１より若干小さくなっている。
【００１０】
シャーシー１２の中央には四角の開口１２１が開けられ、該開口１２１の両側からはそれぞれ上向きにピボット・ブラケット１２２が突出している。各ピボット・ブラケット１２２には支柱アーム１３を貫通させるためのピボット穿孔１２３が設けられており、ロック装置１４を介して相互に連結する。そのほか、開口１２１前部の適切なところにも下向きのペアのピボット・ブラケット１２４を形成し、各ピボット・ブラケット１２４にそれぞれピボット穿孔１２５が設けられている。
【００１１】
支柱アーム１３は、空洞の金属パイプであり、その頂部に、ディスプレイパネル２の裏に固定できる固定部品１３１を有し、そのパイプ底部近くの両サイドにペアのロック孔１３２が設けられている。支柱アーム１３とシャーシー１２を組み立てる時、底部の該ロック孔１３２はシャーシー１２上のピボット・ブラケット１２２のピボット穿孔１２３に位置をぴったり合わせ、ロック装置１４を介して固定させる。このように連接させると、支柱アーム１３をシャーシー１２に対して前後に揺れ動かすことができる。
【００１２】
ロック装置１４は、ボルト１４１、ナット１４２、ワッシャー１４３などの部品を含み、その内、ボルト１４１は、ロック孔１３２とピボット穿孔１２３を貫通し、ワッシャー１４３、ナット１４２などを通り、これによって支柱アーム１３の底部はシャーシー１２の開口１２１に取り付けられる。注意しなければならないのは、支柱アーム１３がロック装置１４によって開口１２１に取り付けられると同時に、支柱アーム１３とピボット穿孔１２３との間に、チャック１４４も取り付けられることである。チャック１４４の中央にはボルト１４１を通すための通孔１４４ａが設けられており、支柱アーム１３が前後に揺れ動くと同時に、チャック１４４もその一部分が連動する。また、チャック１４４周縁の適切な位置に、二つのチャック１４４の溝１４４ｂ、チャックの１４４ｃを設け、チャックの溝１４４ｂとチャックの溝１４４ｃとの間の夾角は約９０度であり、チャック１４４がどのような角度に回されても、係止具１５１の鉤部１５１ｂが嵌れるため、チャックの溝１４４ｂ或いはチャックの溝１４４ｃのいずれかが開口１２１の範囲内に置かれることになる。
【００１３】
角度調節装置１５は、主に支柱アーム１３を一定な傾斜角度に固定させるのに用いられるものであり、係止具１５１、スプリング１５２及び軸ボルト１５３が含まれている。その内、係止具１５１の末端は折れ曲がって偏平状の加圧部１５１ａとなっており、その先端はチャック１４４の溝１４４ｂ又は１４４ｃに嵌められる上向きの鉤部１５１ｂとなっている。また、係止具１５１の適切な所には軸孔１５１ｃが開けられ、係止具１５１の外側の適切な所には窪んだ浅い溝１５１ｄを設けている。その他、スプリング１５２は、弾性材料によって折れ曲がった門型となり、さらに、両側の適切な位置にリング１５２ａを巻き付けて形成されている。
【００１４】
係止具１５１は、シャーシー１２のピボット・ブラケット１２４の間に設置されており、係止具１５１の軸孔１５１ｃをピボット・ブラケット１２４のピボット穿孔１２５の位置にぴったりと合わせ、そのピボット・ブラケット１２４の外側にスプリング１５２を取り付け、スプリング１５２の適切な位置に形成されたリング１５２ａもピボット穿孔１２５の位置に合わせられ、軸ボルト１５３はリング１５２ａ、ピボット穿孔１２５を貫通し、この時、スプリング１５２の一点がちょうど係止具１５１にある浅い溝１５１ｄにはめ込まれ、スプリング１５２の末端がシャーシー１２に食い止められる。これにより係止具１５１はレバーのような弾性動作ができるようになる。
【００１５】
図４から図６までが示すように、ディスプレイパネル２の裏に固定された支柱アーム１３の傾斜角度を調節する場合、まず、加圧部１５１ａに力を加え、係止具１５１の先端の鉤部１５１ｂをチャックの溝１４４ｂから離脱させる。このとき支柱アーム１３は未固定の状態になっているため、ディスプレイパネル２の角度を調整することができる。パネル２を少し平らな状態に調整する時は、鉤部１５１ｂがチャックの溝１４４ｃにはめ込まれ、つまり支柱アーム１３が固定されるまで、チャック１４４が支柱アーム１３の動きにより一定の範囲内で回転する。そして、ディスプレイパネル２も水平に固定された状態となる。
【００１６】
一方ディスプレイパネル２の傾斜角度を上に上げる場合も、加圧部１５１ａに力を加え、係止具１５１の先端の鉤部１５１ｂをチャックの溝１４４ｃから離脱し、この時チャック１４４は未固定の状態になるため、ディスプレイパネル２を一定の傾斜角度に調節することができる。即ち鉤部１５１ｂがチャックの溝１４４ｂにはめ込まれるまで調整することができる。
【００１７】
従って、係止具１５１やチャック１４４などの部品の構造設計により、ディスプレイパネル２を使用する時、加圧部１５１ａを軽く押すだけで傾斜角度を調節することができる。特に、包装時や携帯する時は、加圧部１５１ａに力を加え、ディスプレイパネル２を平らな状態に倒し、これによって支持シャーシー１がディスプレイパネル２の裏に貼りつけられ、使われるスペースを少なくすることができる。
【００１８】
以上のことから、本考案の液晶ディスプレイの支持シャーシー構造は、現在慣習化されているものの欠点を補い、機能はより進化する。
【００１９】
なお本考案は、上記の実施の形態に制限されることがなく、同様の思想のもとで変更されたものはすべて本考案の範囲に含まれる。
【００２０】
【考案の効果】
以上説明したように、本考案は、シャーシーの底部に係止具とスプリングと軸ボトルを含む角度調節装置が設けられ、係止具の末端の加圧部を押すとスプリングが収縮し、これによって、係止具の先端の鉤部は支柱アームと連動しているチャックの溝から離れる。また、ディスプレイパネル角度を決めた後、加圧部の圧力を解除すると、スプリングの回復張力によって、係止具の先端の鉤は、連動されたチャックのもう一つの溝に再びはめ込まれる。このため、支柱アームに固定されているディスプレイパネルは、簡単な操作により水平状態又は垂直状態などの特定な傾斜角度に固定することができ、支持シャーシーをディスプレイパネルの裏に収納することができる。また、構造が簡単であるため、スペースを小さくすることができ、運送や包装においても便利である。
【図面の簡単な説明】
【図１】ディスプレイパネルに固定された本考案の支持シャーシーを示す斜視図である。
【図２】支持シャーシーの内部構造を示す斜視図である。
【図３】支持シャーシーの分解斜視図である。
【図４】角度調節装置の状態の一つを示す斜視図である。
【図５】角度調節装置の状態の一つを示す斜視図である。
【図６】角度調節装置の状態の一つを示す斜視図である。
【図７】シャーシーがディスプレイパネルの裏に収納された状態を示す斜視図である。
【符号の説明】
１　　　　支持シャーシー
１１　　　カバー
１２　　　シャーシー
１２１　　開口
１２２　　ピボット・ブラケット
１２３　　ピボット穿孔
１２４　　ピボット・ブラケット
１２５　　ピボット穿孔
１３　　　支柱アーム
１３１　　固定部品
１３２　　ロック孔
１４　　　ロック装置
１４１　　ボルト
１４２　　ナット
１４３　　ワッシャー
１４４　　チャック
１４４ａ　通孔
１４４ｂ、１４４ｃ　チャックの溝
１５　　　角度調節装置
１５１　　係止具
１５１ａ　加圧部
１５１ｂ　鉤部
１５１ｃ　軸孔
１５１ｄ　浅い溝
１５２　　スプリング
１５２ａ　　リング
１５３　　軸ボルト
２　　　　ディスプレイパネル
【図１】
0003097544.tif 000003
【図２】
0003097544.tif 000004
【図３】
0003097544.tif 000005
【図４】
0003097544.tif 000006
【図５】
0003097544.tif 000007
【図６】
0003097544.tif 000008
【図７】
0003097544.tif 000009